(57)【要約】【課題】携帯用オーディオプレーヤを確実に保持でき、且つ、スピーカ部が小型にできるヘッドフォンを提供すること。【解決手段】使用者がヘッドフォン１１の右スピーカ部２０にオーディオプレーヤ１を装着する時には、オーディオプレーヤ１の背面とクリップ３との間の隙間１４に、ガイド部材２３が挿入される。即ち、クリップ３は、ガイド部材２３と第一スピーカカバー部２１の外側面２４との間の隙間２７に挿入されて保持される。このときに、オーディオプレーヤ１のジャックにプラグが挿入されて嵌り込むので、クリップ３が開いてしまうことが防止される。従って、オーディオプレーヤ１は右スピーカ部２０に確実に保持される。よって、ジョギングやエクササイズ等の運動時にヘッドフォン１１を使用してもオーディオプレーヤ１が脱落することが防止できる。【選択図】図６
2010124338.tif 000002
【特許請求の範囲】
【請求項１】
プラグが挿入されるジャックと、操作部と、前記ジャックの穴の延設方向と平行に延設された隙間が形成されたクリップ部とを備えた携帯用のオーディオプレーヤが装着されるヘッドフォンであって、
使用者の頭部に装着されるヘッドアームと、
前記ヘッドアームの一方の先端部に設けられた第一スピーカ部と、
前記ヘッドアームの他方の先端部に設けられた第二スピーカ部と、
前記第一スピーカ部に設けられ、前記オーディオプレーヤのジャックに挿入されるプラグと、
前記プラグと平行に、前記第一スピーカ部に設けられ、前記オーディオプレーヤのクリップ部の隙間に挿入されて、前記オーディオプレーヤを保持するガイド部材とを備えたことを特徴とするヘッドフォン。
【請求項２】
前記第一スピーカ部には、スピーカを内蔵し、耳当て部が形成された第一スピーカカバー部が設けられ、
当該第一スピーカカバー部の前記耳当て部と反対側の外側面は平面状に形成され、
前記ガイド部材は、前記クリップ部の可動板を挿入可能な間隔だけ空けて前記外側面と平行に延設されていることを特徴とする請求項１に記載のヘッドフォン。
【請求項３】
前記第二スピーカ部には、スピーカを内蔵し、耳当て部が形成された第二スピーカカバー部と、
前記第二スピーカカバー部を支持して前記ヘッドアームに接続するスピーカカバー支持部材とが設けられ、
前記スピーカカバー支持部材には、ステッカーを貼り付ける凹部が形成されていることを特徴とする請求項１又は２に記載のヘッドフォン。
【発明の詳細な説明】
【技術分野】
【０００１】
本発明は、ヘッドフォンに関し、詳細には、携帯用オーディオプレーヤが装着されるヘッドフォンに関するものである。
【背景技術】
【０００２】
現在、内部にフラッシュメモリやハードディスクを内蔵した携帯用オーディオプレーヤが広く普及している。この携帯用オーディオプレーヤでは、本体のジャックにヘッドフォンを差し込んで、本体を服のポケットや鞄の中に入れて持ち歩くようになっている。また、小型の携帯用オーディオプレーヤでは、クリップで服やベルト等に固定するようになったものが知られている。ジョギングやエクササイズをする場合に、携帯用オーディオプレーヤを使用すると、本体の固定が難しく、また、ヘッドフォンのコードが邪魔になるという問題点があった。この問題を解決するために、例えば、ヘッドフォンの一方のスピーカ部に携帯用オーディオプレーヤを内蔵するものが提案されている（例えば、特許文献１参照。）。また、図１２及び図１３に示すヘッドフォン５０が販売されている。このヘッドフォン５０では、ヘッドアーム５１の両端部にスピーカ部５２，５３を設け、スピーカ部５２には、プラグが立設された携帯用オーディオプレーヤの収納部５４が設けられている。
【特許文献１】特開２００６−１２９０６１
【発明の開示】
【発明が解決しようとする課題】
【０００３】
しかしながら、特許文献１に記載のヘッドフォンでは、ヘッドフォンのスピーカ部の保護カバーの内部に携帯用オーディオプレーヤを装着するので、ヘッドフォンのスピーカ部が大きくなってしまうという問題点があった。このような大きなヘッドフォンでは、ジョギングやエクササイズをする場合には適さないという問題点があった。
【０００４】
また、図１２及び図１３に示すヘッドフォン５０では、携帯用オーディオプレーヤはプラグで固定されるだけなので、収納部５４から外れやすいという問題点があった。
【０００５】
本発明は、上記課題を解決するためになされたものであり、携帯用オーディオプレーヤを確実に保持でき、且つ、スピーカ部が小型にできるヘッドフォンを提供することを目的とする。
【課題を解決するための手段】
【０００６】
上記課題を解決するために、請求項１に係る発明のヘッドフォンでは、プラグが挿入されるジャックと、操作部と、前記ジャックの穴の延設方向と平行に延設された隙間が形成されたクリップ部とを備えた携帯用のオーディオプレーヤが装着されるヘッドフォンであって、使用者の頭部に装着されるヘッドアームと、前記ヘッドアームの一方の先端部に設けられた第一スピーカ部と、前記ヘッドアームの他方の先端部に設けられた第二スピーカ部と、前記第一スピーカ部に設けられ、前記オーディオプレーヤのジャックに挿入されるプラグと、前記プラグと平行に、前記第一スピーカ部に設けられ、前記オーディオプレーヤのクリップ部の隙間に挿入されて、前記オーディオプレーヤを保持するガイド部材とを備えたことを特徴とする。
【０００７】
請求項２に係る発明のヘッドフォンでは、請求項１に係る発明の構成に加え、前記第一スピーカ部には、スピーカを内蔵し、耳当て部が形成された第一スピーカカバー部が設けられ、当該第一スピーカカバー部の前記耳当て部と反対側の外側面は平面状に形成され、前記ガイド部材は、前記クリップ部の可動板を挿入可能な間隔だけ空けて前記外側面と平行に延設されていることを特徴とする。
【０００８】
請求項３に係る発明のヘッドフォンでは、請求項１又は２に係る発明の構成に加え、前記第二スピーカ部には、スピーカを内蔵し、耳当て部が形成された第二スピーカカバー部と、前記第二スピーカカバー部を支持して前記ヘッドアームに接続するスピーカカバー支持部材とが設けられ、前記スピーカカバー支持部材には、ステッカーを貼り付ける凹部が形成されていることを特徴とする。
【発明の効果】
【０００９】
請求項１に記載の発明によれば、ガイド部材がプラグと平行に、オーディオプレーヤのクリップ部の隙間に挿入されて、オーディオプレーヤが保持されるので、オーディオプレーヤはプラグ及びクリップ部の両方で、確実に保持される。また、オーディオプレーヤをスピーカ部の中に収納しないので、スピーカ部が大きくなることもない。
【００１０】
また、請求項２に記載の発明によれば、第一スピーカカバー部の耳当て部と反対側の外側面は平面状に形成され、ガイド部材は、クリップ部の可動板を挿入可能な間隔だけ空けて外側面と平行に延設されているので、オーディオプレーヤのクリップが開くことを防止でき、オーディオプレーヤのヘッドフォンからの脱落を防止できる。
【００１１】
また、請求項３に記載の発明によれば、第二スピーカ部のスピーカカバー支持部材に形成された凹部に、ステッカーを貼り付けることで、第二スピーカ部の装飾を行うことができる。また、オーディオプレーヤの筐体の色と同じ色のステッカーを貼り付ければ、ヘッドフォンとしての統一感が出る。
【発明を実施するための最良の形態】
【００１２】
以下、本発明の一実施の形態としてのヘッドフォンを説明する。初めに、本実施の形態に使用される携帯用のオーディオプレーヤについて、図１乃至図４を参照して説明する。図１は、携帯用のオーディオプレーヤ１の正面図である。図２は、オーディオプレーヤ１の平面図である。図３は、オーディオプレーヤ１の底面図である。図４は、オーディオプレーヤ１の背面図である。
【００１３】
図１乃至図４に示すように、オーディオプレーヤ１は、正面視長方形に形成された板状の外形で左右の端部が半円柱状に形成されている。また、オーディオプレーヤ１の正面には、オーディオプレーヤ１の操作を行うための操作部２が設けられている。また、図２に示すように、オーディオプレーヤ１の背面には、支点４の周りに回動する可動板からなるクリップ３が設けられている。クリップ３には、オーディオプレーヤ１の背面に設けられた山部６と噛合する山部５が設けられている。図２及び図３に示すように、オーディオプレーヤ１の背面とクリップ３との間には、オーディオプレーヤ１の上下方向に沿って隙間１４が形成されている。また、図２に示すように、オーディオプレーヤ１の上面７には、電源スイッチ８と、再生を順番に行うかランダムに行うかを切り換える切換スイッチ９とが設けられている。
【００１４】
また、図３に示すように、オーディオプレーヤ１の底面１３には、ジャック１０が設けられ、当該ジャック１０の穴はオーディオプレーヤ１の底面と直交する方向（紙面方向）に延設されている。また、図４に示すように、クリップ３は、オーディオプレーヤ１の背面から見て長方形の板状部材からなる可動板から構成されている。
【００１５】
次に、図５乃至図７を参照して、本実施の形態のヘッドフォン１１について説明する。図５は、ヘッドフォン１１の右側から見た斜視図である。図６は、ヘッドフォン１１の右上方から見た斜視図である。図７は、ヘッドフォン１１の左側から見た斜視図である。ヘッドフォン１１は、図５乃至図７に示すように、使用者の後頭部に装着されるヘッドアーム１２の右側の端部に右スピーカ部２０が設けられ、ヘッドアーム１２の左側の端部に左スピーカ部３０が設けられている。右スピーカ部２０が「第一スピーカ部」に相当し、左スピーカ部３０が「第二スピーカ部」に相当する。
【００１６】
右スピーカ部２０には、内部にスピーカ（図示外）を内蔵した第一スピーカカバー部２１が設けられている。第一スピーカカバー部２１には、使用者の耳に接する部分に、スポンジのカバーが被せられた耳当て部２２が設けられ、当該耳当て部２２と反対側の外側面２４は正面視円形の平面に形成されている。そして、右スピーカ部２０に携帯用のオーディオプレーヤ１が装着される。
【００１７】
左スピーカ部３０には、内部にスピーカ（図示外）を内蔵した第二スピーカカバー部３１が設けられている。第二スピーカカバー部３１には、使用者の耳に接する部分に、スポンジのカバーが被せられた耳当て部３２が設けられている。図７に示すように、左スピーカ部３０の当該耳当て部３２と反対側の側面には、左スピーカ部３０を保持し、ヘッドアーム１２の先端に接続されたスピーカカバー支持部材３３が設けられている。スピーカカバー支持部材３３は正面視略長方形で上端部が円弧状に形成されている。そして、スピーカカバー支持部材３３の外側面の中央には、当該スピーカカバー支持部材３３の長手方向と平行にステッカー（図示外）を貼り付ける凹部３４が形成されている。この凹部３４は、スピーカカバー支持部材３３の外側面より一段低くなった窪みであり、スピーカカバー支持部材３３の長手方向に所定幅で延設されている。ここにオーディオプレーヤ１の筐体の色と同じ色のステッカーを貼ることにより、ヘッドフォン１１のデザインを統一したものとすることができる。また、各種のステッカーを貼ることによりヘッドフォン１１のスピーカカバー支持部材３３に装飾を付加することができる。
【００１８】
次に、図８乃至図１１を参照して、右スピーカ部２０の構造の詳細を説明する。図８は、右スピーカ部２０の左側面図である。図９は、右スピーカ部２０の右側面図である。図１０は、右斜め前から見た右スピーカ部２０の斜視図である。図１１は、左斜め前から見た右スピーカ部２０の斜視図である。
【００１９】
図８乃至図１１に示すように、右スピーカ部２０には、オーディオプレーヤ１のジャック１０に挿入されるプラグ２６が台座２５から立設されている。このプラグ２６は、使用するオーディオプレーヤ１のジャック１０にあった物を使用すれば良いが、一例としては、直径３．５ｍｍのミニプラグが用いられることが多い。また、右スピーカ部２０には、オーディオプレーヤ１を保持するガイド部材２３が設けられている。このガイド部材２３は、正面視、長方形で上端部が円弧状に形成された所定幅で所定厚みを有する板状の部材である。また、ガイド部材２３の中央部には、ガイド部材２３の長手方向に沿って隙間部２８が設けられている。また、図８及び図９に示すように、ガイド部材２３は、第一スピーカカバー部２１の外側面２４と平行に所定間隔の隙間２７を空けて設けられている。この隙間２７の大きさは、オーディオプレーヤ１のクリップ３の板厚よりもやや大きく形成されている。従って、隙間２７にクリップ３が挿入可能になっている。また、図６に示すように、オーディオプレーヤ１の背面とクリップ３との間の隙間１４に、ガイド部材２３が挿入されることになる。
【００２０】
また、図９及び図１１に示すように、台座２５の上端面と隙間２７の下端部の面は、同一の高さとなってなっている。従って、オーディオプレーヤ１は、プラグ２６及びガイド部材２３により、がたつくこと無く保持される。
【００２１】
次に、オーディオプレーヤ１のヘッドフォン１１への装着方法について、図６乃至図１１を参照して説明する。使用者がヘッドフォン１１の右スピーカ部２０にオーディオプレーヤ１を装着する前の状態では、図１１に示すように、ガイド部材２３及びプラグ２６がむき出しの状態となっている。次いで、図６に示すように、オーディオプレーヤ１の背面とクリップ３との間の隙間１４に、ガイド部材２３が挿入される。即ち、クリップ３は、ガイド部材２３と第一スピーカカバー部２１の外側面２４との間の隙間２７に挿入されて保持される。このときに、オーディオプレーヤ１のジャック１０にプラグ２６が挿入されて嵌り込むので、クリップ３が開いてしまうことが防止される。従って、オーディオプレーヤ１は右スピーカ部２０に確実に保持される。よって、ジョギングやエクササイズ等の運動時にヘッドフォン１１を使用してもオーディオプレーヤ１が脱落することが防止できる。また、オーディオプレーヤ１をヘッドフォン１１から取り外す場合には、ガイド部材２３とへ移行に図１１に於ける上方へオーディオプレーヤ１を引き抜くだけで良い。
【００２２】
尚、本発明は、上記実施の形態に限られず、各種の変形が可能である。例えば、オーディオプレーヤ１は右スピーカ部２０に保持する構造となっていたが、ヘッドフォン１１の左右の構造を反対にして、左スピーカ部３０にガイド部材２３やプラグ２６を設けて、左スピーカ部３０にオーディオプレーヤ１を保持する構造としてしても良い。
【産業上の利用可能性】
【００２３】
本発明は、オーディオプレーヤを保持する各種のヘッドフォンに利用可能である。
【図面の簡単な説明】
【００２４】
【図１】携帯用のオーディオプレーヤ１の正面図である。
【図２】オーディオプレーヤ１の平面図である。
【図３】オーディオプレーヤ１の底面図である。
【図４】オーディオプレーヤ１の背面図である。
【図５】ヘッドフォン１１の右側から見た斜視図である。
【図６】ヘッドフォン１１の右上方から見た斜視図である。
【図７】ヘッドフォン１１の左側から見た斜視図である。
【図８】右スピーカ部２０の左側面図である。
【図９】右スピーカ部２０の右側面図である。
【図１０】右斜め前から見た右スピーカ部２０の斜視図である。
【図１１】左斜め前から見た右スピーカ部２０の斜視図である。
【図１２】従来技術のヘッドフォンの斜視図である。
【図１３】従来技術のヘッドフォンの斜視図である。
【符号の説明】
【００２５】
１  オーディオプレーヤ
２  操作部
３  クリップ
５  山部
６  山部
７  上面
８  電源スイッチ
９  切換スイッチ
１０  ジャック
１１  ヘッドフォン
１２  ヘッドアーム
１４  隙間
２０  右スピーカ部
２１  第一スピーカカバー部
２２  部
２３  ガイド部材
２４  外側面
２５  台座
２６  プラグ
２７  隙間
２８  隙間部
３０  左スピーカ部
３１  第二スピーカカバー部
３２  部
３３  スピーカカバー支持部材
３４  凹部
【図１】
2010124338.tif 000003
【図２】
2010124338.tif 000004
【図３】
2010124338.tif 000005
【図４】
2010124338.tif 000006
【図５】
2010124338.tif 000007
【図６】
2010124338.tif 000008
【図７】
2010124338.tif 000009
【図８】
2010124338.tif 000010
【図９】
2010124338.tif 000011
【図１０】
2010124338.tif 000012
【図１１】
2010124338.tif 000013
【図１２】
2010124338.tif 000014
【図１３】
2010124338.tif 000015